(57)【要約】  吊り下げアセンブリ（１０）は、物品を支持するためのサポート部材（１２）と、細長い実質的に平坦なストリップ（１４）と、固定構成体（１６）とを備える。サポート部材（１２）は、開口部（２４）を画定しており、ストリップ（１４）は、開口部を通して挿入され得る。ストリップ（１４）は、複数のアパーチャー（２６）を画定している。固定構成体（１６）は、固定部材（１８）を含み、固定部材（１８）は、サポート部材（１２）をストリップ（１４）に固定するために、ストリップ（１４）の中のアパーチャー（２６）のうちの選択された１つを通して受け入れ可能である。
2020514630.tif 000002
【特許請求の範囲】
【請求項１】
物品を支持するためのサポート部材と、細長い実質的に平坦なストリップと、固定構成体とを備える、吊り下げアセンブリであって、前記サポート部材は、開口部を画定しており、前記ストリップは、前記開口部を通して挿入され得、前記ストリップは、複数のアパーチャーを画定しており、前記固定構成体は、固定部材を含み、前記固定部材は、前記サポート部材を前記ストリップに固定するために、前記ストリップの中の前記アパーチャーのうちの選択された１つを通して受け入れ可能である、吊り下げアセンブリ。
【請求項２】
前記吊り下げアセンブリは、前記実質的に平坦なストリップのうちの第１および第２のストリップを備え、前記サポート部材は、第１および第２の開口部を画定しており、それぞれのストリップは、前記第１および第２の開口部のそれぞれを通して挿入され得、前記第１および第２のストリップのそれぞれは、複数のアパーチャーを画定しており、前記固定構成体は、それぞれの第１および第２の固定部材を含み、それぞれの第１および第２の固定部材は、前記サポート部材を前記ストリップに固定するために、それぞれのストリップの中の前記アパーチャーのうちのそれぞれの選択された１つを通して受け入れ可能である、請求項１に記載の吊り下げアセンブリ。
【請求項３】
前記サポート部材は、細長くなっており、前記第１および第２の開口部のそれぞれは、前記サポート部材の両側の端部領域に画定されている、請求項２に記載の吊り下げアセンブリ。
【請求項４】
前記第１および第２の開口部のそれぞれは、細長くなっている、請求項２または３に記載の吊り下げアセンブリ。
【請求項５】
前記ストリップまたはそれぞれのストリップの中に画定されている、前記アパーチャーまたはそれぞれのアパーチャーは、スロットである、請求項１から４のいずれか一項に記載の吊り下げアセンブリ。
【請求項６】
前記固定部材またはそれぞれの固定部材は、それぞれのラッチ部材を備える、請求項１から５のいずれか一項に記載の吊り下げアセンブリ。
【請求項７】
前記ラッチ部材またはそれぞれのラッチ部材は、固定位置と非固定位置との間で移動可能であり、それによって、前記固定位置では、前記ストリップまたはそれぞれのストリップは、前記サポート部材に固定されており、前記ラッチ部材またはそれぞれのラッチ部材は、前記それぞれのストリップの中の前記アパーチャーのうちの１つによって受け入れられている、請求項６に記載の吊り下げアセンブリ。
【請求項８】
前記固定構成体は、前記ストリップまたはそれぞれのストリップの中の前記アパーチャーによって受け入れられるように、前記ラッチ部材またはそれぞれのラッチ部材を前記固定位置へ付勢するための少なくとも１つの弾性付勢部材を備える、請求項６または７に記載の吊り下げアセンブリ。
【請求項９】
前記付勢部材は、１対の向かい合ったレッグを備え、前記レッグは、前記付勢手段に弾性を提供するように形状決めされている、請求項８に記載の吊り下げアセンブリ。
【請求項１０】
前記付勢部材またはそれぞれの付勢部材は、前記サポート部材に取り付けられているリーフスプリングを備える、請求項９に記載の吊り下げアセンブリ。
【請求項１１】
前記サポート部材は、１対の対向する壁部部分を備え、それぞれの壁部部分は、前記付勢手段を前記サポート部材に取り付けるための取り付けエレメントを含み、それぞれの取り付けエレメントは、前記付勢手段を前記サポート部材に取り付けるために、前記レッグのうちのそれぞれのものと協働する、請求項９または１０に記載の吊り下げアセンブリ。
【請求項１２】
前記ラッチ部材またはそれぞれのラッチ部材は、主要部分と、前記主要部分の上の挿入部分とを備え、前記挿入部分は、それぞれの第１および第２のストリップの中の選択されたアパーチャーを通して挿入され、前記ストリップを前記サポート部材に固定しており、前記ラッチ部材またはそれぞれのラッチ部材は、前記主要部分に接続された端部部分をさらに備え、前記端部部分は、前記主要部分に対して横断方向に延在している、請求項６から１１のいずれか一項に記載の吊り下げアセンブリ。
【請求項１３】
前記端部部分は、前記サポート部材の端部領域を横切って延在しており、前記端部部分を押すことによって、前記ラッチ部材が前記サポート部材の中へ押し込まれることを可能にする、請求項１２に記載の吊り下げアセンブリ。
【請求項１４】
前記ラッチ部材またはそれぞれのラッチ部材は、細長いアパーチャーを画定しており、前記ラッチ部材が前記サポート部材の上にスライド可能に装着されることを可能にし、前記吊り下げアセンブリは、前記ラッチ部材またはそれぞれのラッチ部材を前記サポート部材に取り付けるために、前記サポート部材の上に少なくとも１つの装着部材を備える、請求項６から１３のいずれか一項に記載の吊り下げアセンブリ。
【請求項１５】
前記吊り下げアセンブリは、前記ラッチ部材またはそれぞれのラッチ部材を前記固定位置にロックするためのロッキング構成体を備え、前記ロッキング構成体は、少なくとも１つのロッキング部材を備え、前記ロッキング部材またはそれぞれのロッキング部材は、ロック位置とアンロック位置との間で移動可能である、請求項６から１４のいずれか一項に記載の吊り下げアセンブリ。
【請求項１６】
前記端部部分は、内側ラグと外側ラグとを有しており、前記ラッチ部材が前記非固定位置にあるときには、前記ロッキング部材が前記ラグ同士の間に受け入れられように、前記ロッキング部材が配置されており、前記ロッキング部材が前記ロック位置に向けて移動させられているときには、前記ロッキング部材が前記ラグのうちの１つに係合するようになっている、請求項１５に記載の吊り下げアセンブリ。
【請求項１７】
前記ストリップまたはそれぞれのストリップは、収納状態へと変形可能であり、収納状態では、前記ストリップまたはそれぞれのストリップの収納可能領域が、前記サポート部材に沿って延在している、請求項１から１６のいずれか一項に記載の吊り下げアセンブリ。
【請求項１８】
前記サポート部材は、前記ストリップの前記収納可能領域を前記収納状態に保持するための保持フォーメーションを含み、前記保持フォーメーションは、非保持位置から保持位置へ移動可能であり、それによって、前記保持フォーメーションが前記保持位置にあるときには、前記保持フォーメーションは、前記ストリップの前記収納可能領域を横切って延在し、前記収納可能領域を前記収納状態に保持する、請求項１７に記載の吊り下げアセンブリ。
【請求項１９】
前記サポート部材は、中央部分と、前記中央部分から延在する少なくとも１つの壁部部分とを備え、前記保持フォーメーションは、前記壁部部分のうちの１つの上に設けられている、請求項１８に記載の吊り下げアセンブリ。
【請求項２０】
前記壁部部分は、向かい合った第１および第２の縁部を有しており、前記壁部部分は、前記第１の縁部に沿って前記主要部分に取り付けられており、前記第２の縁部は、自由縁部であり、前記保持フォーメーションは、前記壁部部分の前記自由縁部に沿って設けられている、請求項１９に記載の吊り下げアセンブリ。
【請求項２１】
前記保持フォーメーションは、保持タブを備える、請求項１８、１９、または２０に記載の吊り下げアセンブリ。
【発明の詳細な説明】
【技術分野】
【０００１】
本発明は、吊り下げアセンブリに関する。より具体的には、それに限定されないが、本発明は、パイプおよびケーブルトレイなどのような物品を頭上から吊るすための吊り下げアセンブリに関する。
【背景技術】
【０００２】
ねじ山付きのロッドに取り付けられたブラケットによって、パイプおよびケーブルトレイを屋根または天井から吊るすことが知られている。ロッドは、適切な長さにカットされ、屋根または天井の中の取り付け具の中へねじ込まれなければならない。ねじ山付きのロッドは、ブラケットの中の開口部を通して挿入され、ロッドの上にねじ回されるナットを使用して、ブラケットに取り付けられている。これらのステップのすべて、とりわけ、ロッドをカットすることは、非常に時間のかかるものである可能性がある。
【発明の概要】
【０００３】
本発明の１つの態様によれば、物品を支持するためのサポート部材と、細長い実質的に平坦なストリップと、固定構成体とを備える、吊り下げアセンブリであって、サポート部材は、開口部を画定しており、ストリップは、開口部を通して挿入され得、ストリップは、複数のアパーチャーを画定しており、固定構成体は、固定部材を含み、固定部材は、サポート部材をストリップに固定するために、ストリップの中のアパーチャーのうちの選択された１つを通して受け入れ可能である、吊り下げアセンブリが提供される。
【０００４】
吊り下げアセンブリは、実質的に平坦なストリップのうちの第１および第２のストリップを備え、サポート部材は、第１および第２の開口部を画定しており、それぞれのストリップは、第１および第２の開口部のそれぞれを通して挿入され得る。第１および第２のストリップのそれぞれは、複数のアパーチャーを画定することが可能である。固定構成体は、それぞれの第１および第２の固定部材を含むことが可能であり、それぞれの第１および第２の固定部材は、サポート部材をストリップに固定するために、それぞれのストリップの中のアパーチャーのうちのそれぞれの選択された１つを通して受け入れ可能であり得る。
【０００５】
本発明の別の態様によれば、物品を支持するためのサポート部材と、第１および第２の細長い実質的に平坦なストリップと、固定構成体とを備える、吊り下げアセンブリであって、サポート部材は、第１および第２の開口部を画定しており、ストリップは、第１および第２の開口部を通して挿入され得、それぞれのストリップは、複数のアパーチャーを画定しており、固定構成体は、第１および第２の固定部材を備え、第１および第２の固定部材は、サポート部材をストリップに固定するために、それぞれのストリップの中のアパーチャーのうちのそれぞれ選択された１つを通してそれぞれ受け入れ可能である、吊り下げアセンブリが提供される。
【０００６】
サポート部材は、細長くなっていることが可能である。第１および第２の開口部のそれぞれは、サポート部材の両側の端部領域に画定され得る。第１および第２の開口部のそれぞれは、細長くなっていることが可能である。
【０００７】
ストリップまたはそれぞれのストリップの中に画定されている、アパーチャーまたはそれぞれのアパーチャーは、スロットであることが可能である。ストリップまたはそれぞれのストリップは、ストラップを備えることが可能である。
【０００８】
第１および第２のストリップの中に画定されているアパーチャーのそれぞれは、スロットであることが可能である。ストリップは、ストラップを備えることが可能である。第１および第２のストリップのそれぞれは、ストラップを備えることが可能である。
【０００９】
ストリップは、収納状態へと変形可能であり得、収納状態では、それぞれのストリップの収納可能領域が、サポート部材に沿って延在している。第１および第２のストリップのそれぞれは、それぞれの収納状態へと変形可能であり得、それぞれの収納状態では、それぞれのストリップの収納可能領域が、サポート部材に沿って延在している。
【００１０】
ストリップまたはそれぞれのストリップは、可鍛性材料から形成され得、ストリップが収納状態へと変形させられることを可能にする。
【００１１】
ストリップは、金属材料から形成され得る。固定アセンブリが第１および第２のストリップを備える場合に、第１および第２のストリップのそれぞれは、可鍛性材料から形成され得、第１および第２のストリップのそれぞれが収納状態へと変形させられることを可能にする。第１および第２のストリップのそれぞれは、金属材料から形成され得る。
【００１２】
固定部材またはそれぞれの固定部材は、それぞれのラッチ部材を備えることが可能である。固定構成体が第１および第２の固定部材を備える場合に、第１の固定部材は、第１のラッチ部材を備えることが可能であり、第２の固定部材は、第２のラッチ部材を備えることが可能である。
【００１３】
ラッチ部材は、固定位置と非固定位置との間で移動可能であり得る。固定位置では、ストリップは、サポート部材に固定され得る。固定位置では、ラッチ部材は、ストリップの中のアパーチャーによって受け入れられ得る。
【００１４】
非固定位置では、ストリップは、サポート部材に対して移動させられ得る。非固定位置では、ラッチ部材は、ストリップまたはそれぞれのストリップの中のアパーチャーによって受け入れられることができない。ラッチ部材は、固定位置と非固定位置との間でスライド可能に移動可能であり得る。
【００１５】
固定構成体が第１および第２のラッチ部材を備える場合に、それぞれのラッチ部材は、それぞれの固定位置と非固定位置との間で移動可能であり得る。
【００１６】
固定位置では、それぞれのストリップは、サポート部材に固定され得る。固定位置では、それぞれのラッチ部材は、それぞれのストリップの中のアパーチャーによって受け入れられ得る。
【００１７】
非固定位置では、それぞれのストリップは、サポート部材に対して移動させられ得る。非固定位置では、それぞれのラッチ部材は、それぞれのストリップの中のアパーチャーによって受け入れられることができない。それぞれのラッチ部材は、固定位置と非固定位置との間でスライド可能に移動可能であり得る。
【００１８】
固定構成体は、ラッチ部材またはそれぞれのラッチ部材を固定位置へ付勢するための付勢手段を備えることが可能である。付勢手段は、弾性的であることが可能である。
【００１９】
第１および第２のラッチ部材を備える１つの実施形態では、付勢手段は、第１および第２の付勢部材を備えることが可能である。第１および第２の付勢部材のそれぞれは、第１および第２のラッチ部材のうちのそれぞれのものを付勢することが可能であり、ラッチ部材が第１および第２のストリップの中のアパーチャーによって受け入れられるようになっている。この実施形態では、付勢部材は、引張スプリングなどのようなスプリングを備えることが可能である。
【００２０】
別の実施形態では、付勢手段は、第１ラッチ部材と第２のラッチ部材との間に延在する付勢部材を備えることが可能である。付勢部材は、第１のラッチ部材と第２のラッチ部材の両方をそれらの固定位置へ付勢することが可能である。この実施形態では、付勢部材は、圧縮スプリングなどのようなスプリングを備えることが可能である。
【００２１】
サポート部材は、ラッチ部材と協働するためのガイドフォーメーションを有することが可能である。ガイドフォーメーションは、サポート部材の上にラッチ部材を保持することが可能であり、ラッチ部材が固定位置と非固定位置との間で移動することを可能にすることができる。
【００２２】
固定構成体が第１および第２のラッチ部材を備える実施形態では、サポート部材は、第１および第２のラッチ部材とそれぞれ協働するための第１および第２のガイドフォーメーションを有することが可能である。それぞれのガイドフォーメーションは、サポート部材の上にそれぞれのラッチ部材を保持することが可能であり、それぞれのラッチ部材が固定位置と非固定位置との間で移動することを可能にすることができる。
【００２３】
ラッチ部材またはそれぞれのラッチ部材は、主要部分を備えることが可能である。ラッチ部材またはそれぞれのラッチ部材は、サポート部材のガイドフォーメーションと協働するための協働部分を含むことが可能である。
【００２４】
サポート部材は、反対側に配置されている第１のガイドフォーメーションと、反対側に配置されている第２のガイドフォーメーションとを備えることが可能である。ラッチ部材は、第１および第２のガイドフォーメーションと協働するように構成されている、反対側に配置されている１対の協働部分を備えることが可能である。
【００２５】
固定構成体が第１および第２のラッチ部材を備える実施形態では、サポート部材は、反対側に配置されている１対の第１のガイドフォーメーションと、反対側に配置されている１対の第２のガイドフォーメーションとを備えることが可能である。
【００２６】
第１および第２のラッチ部材のそれぞれは、第１および第２のガイドフォーメーションと協働するように構成されている、反対側に配置されている１対の協働部分を備えることが可能である。
【００２７】
サポート部材は、中央部分と、中央部分から延在する１対の対向する壁部部分とを備えることが可能である。ガイドフォーメーションまたはそれぞれのガイドフォーメーションは、細長い孔部であることが可能である。ガイドフォーメーションまたはそれぞれのガイドフォーメーションは、壁部部分のうちの１つの中に画定され得るか、または、中央部分と壁部部分との間の領域に画定され得る。
【００２８】
ラッチ部材またはそれぞれのラッチ部材の協働部分は、主要部分から延在する突出部であることが可能である。ガイドフォーメーションまたはそれぞれのガイドフォーメーションは、サポート部材によって画定される細長い孔部であることが可能である。ラッチ部材またはそれぞれのラッチ部材の協働部分は、細長い孔部の中に、または、細長い孔部のうちの１つの中に受け入れられ得る。
【００２９】
壁部部分は、協働部分をガイドフォーメーションの中にロックするための第１および第２のディテント部材を備えることが可能である。第１および第２のディテント部材は、ラッチ部材の協働ガイドフォーメーションがサポート部材と協働することを可能にすることができる。
【００３０】
ディテント部材のうちの１つは、壁部部分のうちの一方の中に形成され得る。第２のディテント部材は、他方の壁部の中に設けられ得る。
【００３１】
ディテント部材は、中央部分から間隔を置いて配置された取り付け領域において、壁部部分に取り付けられ得る。ディテント部材は、取り付け領域から中央部分に向けて延在することが可能である。
【００３２】
それぞれの単一のディテント部材は、ラッチ部材のそれぞれのものに関して、壁部部分のそれぞれの上に提供され得る。
【００３３】
それぞれのラッチ部材は、主要部分の上に挿入部分を備えることが可能である。挿入部分は、それぞれの第１および第２のストリップの中の選択されたアパーチャーを通して挿入され、ストリップをサポート部材に固定することが可能である。
【００３４】
ラッチ部材またはそれぞれのラッチ部材は、端部部分を備えることが可能である。端部部分は、主要部分に接続され得る。端部部分は、主要部分に対して横断方向に延在することが可能である。
【００３５】
ラッチ部材またはそれぞれのラッチ部材は、主要部分から端部部分の挿入部分を越えて延在する接続エレメントを含むことが可能である。
【００３６】
ラッチ部材またはそれぞれのラッチ部材は、１対の前記接続エレメントを含むことが可能である。接続エレメントは、挿入部分のそれぞれの反対側に延在することが可能である。
【００３７】
端部部分は、サポート部材の端部領域を横切って延在することが可能であり、端部部分を押すことによって、ラッチ部材がサポート部材の中へ押し込まれることを可能にする。
【００３８】
ラッチ部材またはそれぞれのラッチ部材は、主要部分に対して横断方向に延在する突起部分を備えることが可能である。突起部分は、支点を提供することができる縁部を有することが可能であり、ストリップが収納状態へと変形させられるときに、ストリップが支点の周りに変形させられ得る。
【００３９】
この実施形態では、付勢部材は、１対の向かい合ったレッグを備えることが可能である。レッグは、付勢手段に弾性を提供するように形状決めされ得る。付勢手段は、リーフスプリングを備えることが可能である。リーフスプリングは、サポート部材に取り付けられ得る。
【００４０】
それぞれの壁部部分は、付勢手段をサポート部材に取り付けるための取り付けエレメントを含むことが可能である。それぞれの取り付けエレメントは、付勢手段をサポート部材に取り付けるために、レッグのうちのそれぞれのものと協働することが可能である。
【００４１】
ラッチ部材またはそれぞれのラッチ部材は、細長いアパーチャーを画定することが可能であり、ラッチ部材がサポート部材の上にスライド可能に装着されることを可能にする。吊り下げアセンブリは、ラッチ部材またはそれぞれのラッチ部材をサポート部材に取り付けるためにサポート部材を通って延在する、装着部材または２つの装着部材を備えることが可能である。
【００４２】
装着部材は、リベットを備えることが可能である。装着部材は、サポート部材が逆さまに据え付けられる場合に、吊り下げアセンブリにかかる意図した荷重を装着部材が支えることができるように選択され得る。
【００４３】
吊り下げアセンブリは、ラッチ部材またはそれぞれのラッチ部材を固定位置にロックするためのロッキング構成体を備えることが可能である。ロッキング構成体は、ロッキング部材、または、２つのロッキング部材を含むことが可能である。ロッキング部材またはそれぞれのロッキング部材は、ロック位置とアンロック位置との間で移動可能であり得る。
【００４４】
ラッチ部材またはそれぞれのラッチ部材は、協働フォーメーションを備えることが可能であり、協働フォーメーションは、端部部分の上にあることが可能であり、ラッチ部材が固定位置にあるときに、および、ロッキング部材がロック位置にあるときに、ロッキング部材に係合するようになっている。協働フォーメーションは、ラグを備えることが可能である。
【００４５】
ラッチ部材が非固定位置にあるときに、ロッキング部材がロック位置に向けて移動させられる場合には、ロッキング部材が端部部分に係合するように、ロッキング部材が配置されている。望ましくは、端部部分は、内側ラグと外側ラグとを有している。ロッキング部材は、ラッチ部材が非固定位置にあるときに、内側ラグと外側ラグとの間に配設され得る。
【００４６】
これは、ロッキング部材がロック位置へ完全に移動させられることを防止する効果を有しており、ラッチ部材が非固定位置にロックされることを防止するという利点を、本明細書で説明されている実施形態の中に提供する。
【００４７】
ロッキング部材は、複数の側部部材を有することが可能である。ロッキング部材は、側部部材のうちの４つを有することが可能である。
【００４８】
ロッキング部材は、側部部材同士の間に延在する横断方向の部分を有することが可能である。横断方向の部分は、実質的に平坦になっていることが可能である。
【００４９】
２つの反対側の側部部材は、凹んだ中間部分をそれぞれ有することが可能である。ロッキング部材は、１対の対向する挿入部材を有することが可能であり、１対の対向する挿入部材は、両側の凹んだ中間部分の間に延在することが可能である。
【００５０】
それぞれのディテント部材は、凹んだ部分のそれぞれから延在することが可能である。ロッキング部材がサポート部材の上に装着されているときには、挿入部材は、サポートの端部領域におけるアパーチャーの中に受け入れられ得る。挿入部材は、ロッキング部材をアパーチャーの上に位置付けすることが可能である。ディテント部材は、アパーチャーの両側の縁部の上に引っ掛かることが可能である。
【００５１】
サポート部材は、ストリップの前記収納可能領域を収納状態に保持するための保持フォーメーションを含むことが可能である。保持フォーメーションは、保持タブを備えることが可能である。保持フォーメーションは、非保持位置から保持位置へ移動可能であり得る。保持位置と非保持位置との間の保持フォーメーションの移動は、保持フォーメーションを変形させることによって、たとえば、保持フォーメーションを曲げることによって行われ得る。
【００５２】
保持フォーメーションが保持位置にあるときには、保持フォーメーションは、ストリップの収納可能領域を横切って延在し、前記収納可能領域を前記収納状態に保持することが可能である。保持フォーメーションは、壁部部分のうちの１つの中に設けられ得る。
【００５３】
壁部部分は、向かい合った第１および第２の縁部を有することが可能である。それぞれの壁部部分は、第１の縁部に沿って中央部分に取り付けられ得る。第２の縁部は、自由縁部であることが可能である。
【００５４】
保持フォーメーションは、壁部部分の縁部に沿って設けられ得る。望ましくは、保持フォーメーションは、第２の縁部に沿って設けられている。
【００５５】
サポート部材は、複数の保持フォーメーション、たとえば、保持フォーメーションのうちの２つを備えることが可能である。
【００５６】
ここで、本発明の実施形態が、添付の図面を参照して、単なる例として説明されることとなる。
【図面の簡単な説明】
【００５７】
【図１】吊り下げアセンブリの上面斜視図。
【図２】吊り下げアセンブリの底面斜視図。
【図３】図２に示されているような吊り下げアセンブリの１つの端部領域のクローズアップ図。
【図４】吊り下げアセンブリの分解上面斜視図。
【図５】図４に示されているような吊り下げアセンブリの１つの端部領域のクローズアップ図。
【図６】さらなる吊り下げアセンブリの上面斜視図。
【図７】図６に示されている吊り下げアセンブリの分解上面斜視図。
【図８】図６に示されている吊り下げアセンブリの底面斜視図。
【図９】図６に示されている吊り下げアセンブリの分解底面斜視図。
【図１０】平坦なストリップをサポート部材に固定している、固定位置にある固定部材を示すクローズアップ部分断面図。
【図１１】図１０と同様であるが、非固定位置にある固定部材を示すクローズアップ図。
【図１２】固定位置にある固定部材と、ロック位置にあるロッキング部材とを示すクローズアップ部分断面図であるが、平坦なストリップが明確化のために省略された状態になっている図。
【図１３】ロッキング部材がアンロック位置にある状態の、図１２と同様の図。
【図１４】平坦なストリップの端部領域が収納状態へと変形させられていることを示す、図６に示されている固定アセンブリの底面斜視図。
【図１５】収納状態にある平坦なストリップのうちの１つを示すクローズアップ断面図。
【図１６】保持フォーメーションを有する、図６から図１５に示されている吊り下げアセンブリの修正されたバージョンの斜視図。
【図１７】図１６に示されているサポートアセンブリの領域のクローズアップ図。
【図１８】図１７に示されているサポートアセンブリの領域の下方からの斜視図。
【図１９】保持位置にある保持フォーメーションを示す下方からの斜視図。
【図２０】保持位置にある保持フォーメーションを示す、図１６と同様の斜視図。
【図２１】第２のロッキング部材の斜視図。
【図２２】図２１に示されている第２のロッキング部材の側面図。
【図２３】第２のロッキング部材がその上にある状態のサポート部材の斜視図。
【図２４】第３のロッキング部材の斜視図。
【図２５】図２４に示されている第３のロッキング部材の側面図。
【図２６】第３のロッキング部材がその上にある状態のサポート部材の斜視図。
【発明を実施するための形態】
【００５８】
図面の図１から図５は、吊り下げアセンブリ１０を示しており、吊り下げアセンブリ１０は、細長いサポート部材１２と、第１および第２の実質的に平坦なストリップ１４とを備える。ストリップ１４は、細長いサポート部材１２の両側の端部領域２２に配設されている第１および第２の細長い金属製ストラップの形態になっている。
【００５９】
ストリップ１４は、固定構成体１６によってサポート部材１２に固定されている（図２および図３を参照）。固定構成体１６は、サポート部材１２の両側の端部領域２２に配置されている第１および第２のラッチ部材１８の形態の固定部材を備える。
【００６０】
サポート部材１２は、細長い中央部分２０Ａと、中央部分２０Ａから延在する１対の対向する壁部部分２０Ｂとを備える。中央部分２０Ａは、サポート部材１２のそれぞれの両側の端部領域２２に、第１および第２の細長い開口部２４を画定している。第１および第２のストリップ１４のそれぞれは、第１および第２の開口部２４のそれぞれのものを通して受け入れられている。
【００６１】
第１および第２のストリップ１４のそれぞれは、それぞれのストリップ１４の長さに沿って複数のスロット２６を画定している。第１および第２のラッチ部材１８のそれぞれは、主要部分２８と挿入部分３０とを備える。
【００６２】
挿入部分３０は、第１および第２のストリップ１４のそれぞれの中のスロット２６のうちの選択された１つを通して挿入され得、それによって、ストリップ１４をサポート部材１２に固定する。
【００６３】
サポート部材１２のそれぞれは、ラッチ部材１８をガイドするためのガイドフォーメーションを備える。ガイドフォーメーションは、それぞれの第１および第２の細長い孔部３２の形態になっており、第１および第２の細長い孔部３２は、サポート部材１２の第１および第２の端部領域２２において、壁部部分２０Ｂによって画定されている。
【００６４】
ラッチ部材１８のそれぞれは、主要部分２８の上の突出部の形態の１対の反対側の協働部分３４を備える。協働部分３４は、壁部部分２０Ｂの中の細長い孔部３２によって受け入れられている。
【００６５】
細長い孔部３２は、協働部分３４よりも長くなっており、ラッチ部材１８が固定位置と非固定位置との間でスライドすることを可能にする。
【００６６】
第１および第２のラッチ部材１８がそれぞれの固定位置にあるときには、挿入部分３０は、第１および第２のストリップ１４の中の選択されたスロット２６の中に受け入れられている。これは、図３に図示されている。
【００６７】
第１および第２のラッチ部材１８がそれぞれの非固定位置にあるときには、挿入部分３０は、第１および第２のストリップ１４の中のスロット２６のいずれの中にも受け入れられておらず、それによって、ストリップ１４が開口部２４を通してスライドさせられることを可能にする。
【００６８】
固定構成体は、第１および第２のラッチ部材１８を固定位置に付勢するための付勢手段をさらに含む。示されている実施形態では、固定構成体は、第１および第２の引張スプリング３６の形態の第１および第２の付勢部材を備える。
【００６９】
第１および第２の引張スプリング３６は、第１および第２のラッチ部材１８にそれぞれ取り付けられており、また、引張スプリング３６の両側端部におけるフックによってサポート部材１２に取り付けられている。フックは、当業者によって理解されることとなるように、サポート部材１２およびラッチ部材１８の中のそれぞれの孔部の中に受け入れられている。
【００７０】
第１および第２のディテント部材３８が、サポート部材１２の両側の端部領域２２において、それぞれの壁部部分２０Ｂの上に設けられている。ディテント部材３８は、ラッチ部材１８がサポート部材１２の上に装着されることを可能にする。
【００７１】
１つだけのディテント部材３８が端部領域２２のそれぞれに設けられているが、それぞれのディテント部材３８が、端部領域２２のそれぞれにおいて、それぞれの壁部部分２０Ｂの中に設けられ得るということが認識されることとなる。
【００７２】
第１および第２のラッチ部材１８は、協働部分３４が細長い孔部３２の中に受け入れられるまで、壁部部分２０Ｂ同士の間の適切な場所に圧入される。
【００７３】
第１および第２のラッチ部材１８が適切な場所に圧入されるときに、協働部分３４は、協働部分３４が細長い孔部３２の中に受け入れられるまで、ディテント部材３８を外向きに押す。
【００７４】
ラッチ部材１８のそれぞれは、タブ３９（図２および図３を参照）を含み、ユーザーがラッチ部材１８をその非固定位置へ引っ張ることを可能にし、それによって、サポート部材１２の位置がストリップ１４に対して調節されることを可能にする。
【００７５】
ストリップ１４のそれぞれは、細長い部分４０を備え、スロット２６が細長い部分４０の中に画定されている。それぞれのストリップ１４は、たとえば、屋根または天井にストリップ１４を取り付けるための取り付け部分４２を有している。
【００７６】
取り付け部分４２は、円形アパーチャー４４を画定しており、スクリューまたはボルトなどのような締結具（図示せず）が、屋根または天井にストリップ１４を取り付けるために、円形アパーチャー４４を通して挿入され得る。
【００７７】
吊り下げアセンブリ１０を使用する１つの方法では、ストリップ１４は、締結具によって屋根または天井に取り付けられる。ラッチ部材１８は、ユーザーによってそれらの非固定位置へ引っ張られ、サポート部材１２がストリップ１４の上に装着されることを可能にする。
【００７８】
ストリップ１４は、サポート部材１２の第１および第２の端部領域２２の中の開口部２４を通して挿入される。サポート部材１２は、ラッチ部材１８がそれらの非固定位置に保持されている状態で、ストリップ１４に対して所望の位置へストリップ１４に沿ってスライドさせられ得る。
【００７９】
次いで、ユーザーは、引張スプリング３６がラッチ部材１８をそれらの固定位置へ付勢するように、ラッチ部材１８を解放し、固定位置では、挿入部分３０は、それぞれのストリップ１４の中のスロット２６のうちの１つの中に受け入れられている。
【００８０】
次いで、サポート部材１２の下方に延在するストリップ１４の部分は、図１の中の矢印Ａによって示されているように、それらを上向きに曲げることによって、収納状態へ変形させられ得る。
【００８１】
したがって、コンポーネントのいずれかをカットする必要なしに、迅速な据え付けを可能にする吊り下げアセンブリ１０が説明されている。
【００８２】
さまざまな修正が、本発明の範囲を逸脱することなく行われ得る。たとえば、サポート部材１２は、任意の適切な長さのものであることが可能である。また、２つの引張スプリング３６は、第１および第２のラッチ部材１８の間に延在する単一の圧縮スプリングによって交換され得る。
【００８３】
さらなる実施形態は、以下のもののうちの１つまたは複数を含むことが可能である：固定構成体１６は、ラッチ部材１８を固定位置にロックするためのロッキングフォーメーションを含むことが可能である；ストリップ１４の中のスロット２６は、その代わりに、細長くない孔部であることが可能である；スロット２６または孔部は、対になって配置され得る；取り付け部分４２は、補強とともに提供され得る；および、サポート部材１２は、物品（たとえば、パイプ、ケーブルトレイ）の取り付けを促進させるために、スロットまたはフックなどのようなフォーメーションを含むことが可能である。
【００８４】
図６から図１５は、全体的に１１０で指定されている吊り下げアセンブリのさらなる実施形態を示している。吊り下げアセンブリ１１０は、吊り下げアセンブリ１０の特徴の多くを備える。これらの特徴は、図１から図５の中の対応する特徴と同じ参照番号によって指定されている。
【００８５】
吊り下げアセンブリ１１０は、サポート部材１２にスライド可能に取り付けられているラッチ部材１１２を備える。ラッチ部材１１２は、固定位置と非固定位置との間をスライド可能に移動可能である。
【００８６】
ラッチ部材１１２は、主要部分１１４と、主要部分１１４から延在する固定部分１１６とを有している。固定部分１１６は、ストリップ１４の中のスロット２６のうちの選択された１つの中に受け入れ可能である。
【００８７】
主要部分１１４は、細長いアパーチャー１１８を画定している。リベットの形態の装着部材１２０が、細長いアパーチャー１１８を通して受け入れられている。したがって、ラッチ部材１１２が固定位置と非固定位置との間をスライドするときに、装着部材１２０と主要部分１１４との間に相対的なスライド移動が存在する。
【００８８】
装着部材１２０は、リベットの形態になっており、それは、サポート部材１２が逆さまに使用される場合に、吊り下げアセンブリ１１０の使用荷重を支えることが可能である。
【００８９】
ラッチ部材１１２は、１対の接続エレメント１２４によって主要部分に接続された端部部分１２２をさらに含む。接続エレメント１２４は、主要部分１１４から端部部分１２２へ延在しており、固定部分１１６が主要部分１１４と端部部分１２２との間に配置されるようになっている。また、固定部分１１６は、接続エレメント１２４同士の間に配置されている。
【００９０】
また、吊り下げアセンブリ１１０は、ラッチ部材１１２をそれらの固定位置にロックするためのロッキング構成体を含む。ロッキング構成体は、そのそれぞれの両側の端部２２に隣接してサポート部材１２の上に配置されている２つのロッキング部材１２６を備える。ロッキング部材１２６は、図２１から図２６を参照して下記に説明されているように、挿入部分およびディテントによって、アパーチャー１２７においてサポート１２に取り付けられている。
【００９１】
それぞれのロッキング部材１２６は、ボタンを備え、図１２に示されているロック位置と図１３に示されているアンロック位置との間でスライドさせられ得る。ラッチ部材１１２の端部部分１２２は、両側の側縁部１３０の中に２つの凹部１２８Ａ、１２８Ｂを画定している。凹部のうちの１つは（１２８Ａで指定されている）、ロッキング部材１２６に隣接する側縁部１３０の中に画定されている。
【００９２】
端部部分１２２は、両側の縁部１３０の上の内側ラグ１３２Ａおよび外側ラグ１３２Ｂの形態の協働フォーメーションを含む。凹部１２８Ａ、１２８Ｂは、内側ラグ１３２Ａと外側ラグ１３２Ｂの間に画定されている。
【００９３】
ロッキング部材１２６をアンロック位置に配置することは、ロッキング部材１２６を凹部１２８Ａと整合させる。これは、ラッチ部材１１２が非固定位置と固定位置との間で移動させられるときに、端部部分１２２がロッキング部材１２６を横切って移動することを可能にする。
【００９４】
図１２に示されているように、ラッチ部材１１２が固定位置にあり、ロッキング部材１２６がロック位置へ移動させられているときには、外側ラグ１３２Ｂが、ロッキング部材１２６に係合し、ラッチ部材１１２が非固定位置へ移動することを防止する。
【００９５】
ラッチ部材１１２が非固定位置にあるときには、端部部分１２２は、そのアンロック位置にあるロッキング部材１２６を横切って延在しており、図１１に示されているように、内側ラグ１３２Ａがロッキング部材１２６の上方に配設され、外側ラグ１３２Ｂがロッキング部材１２６の下方に配設されるようになっている。これは、ロッキング部材１２６がそのロック位置へ移動させられることを防止し、それによって、ラッチ部材１１２がその非固定位置にロックされることを防止する。
【００９６】
固定構成体は、弾性付勢手段１３４をさらに含む。付勢手段１３４は、１対の向かい合ったレッグ１３６を有するリーフスプリングを備える。レッグ１３６は、Ｖ字形状へと変形させられ、必要とされる弾性を提供している。付勢手段１３４は、ラッチ部材１１２を固定位置に向けて付勢する。
【００９７】
付勢手段１３４は、サポート部材１２の対向する壁部部分２０Ｂの上の１対の取り付けエレメント１３８によって、サポート部材１２に取り付けられている。取り付けエレメント１３８は、レッグ１３６に係合し、それらをそれぞれの壁部部分２０Ｂに取り付ける。
【００９８】
付勢手段１３４は、レッグ１３６同士の間に延在するクロス部材１４０をさらに含む。ラッチ部材１１２は、主要部分１１４に対して横断方向に延在する突起部分１４２を含む。使用時に、突起部分１４２は、主要部分１１４から下向きに延在している。付勢手段１３４は、突起部分１４２において部材１１２に取り付けられている。
【００９９】
突起部分１４２は、下側縁部１４４を有しており、下側縁部１４４は、支点を提供しており、ストリップ１４が収納状態へと変形させられるときに、ストリップ１４が支点の周りに曲げられ得る。これに関して、図１４および図１５が参照され、図１４および図１５は、ストリップ１４の収納領域１４６を示している。図１５は、突起部分１４２の下側縁部１４４の上に変形させられた、収納領域１４６のうちの１つを示している。
【０１００】
図１６から図２０を参照すると、図６から図１５に示されている吊り下げアセンブリ１１０の修正されたバージョンが示されている。図１６から図２０に示されている吊り下げアセンブリ１１０は、図６から図１５に示されている吊り下げアセンブリのすべての特徴を備え、これらの特徴は、図６から図１５の中の対応する特徴と同じ、図１６から図２０の中の参照番号によって指定されている。
【０１０１】
図１６から図２０に示されている吊り下げアセンブリ１１０は、サポート部材１２の壁部部分２０Ｂのうちの１つの中に２つの保持タブ１５０の形態の保持フォーメーションをさらに含む。保持タブ１５０は、壁部部分２０Ｂのうちの１つのみの上に設けられることが示されているが、壁部部分２０Ｂのそれぞれが、保持タブ１５０を含むことが可能であるということが認識されることとなる。しかし、図１６から図２０に示されている吊り下げアセンブリ１１０では、保持フォーメーションは、壁部部分２０Ｂのうちの１つのみの上に設けられている。
【０１０２】
壁部部分２０Ｂは、向かい合った第１および第２の縁部を有しており、第１の縁部は、主要部分２０Ａに取り付けられている。第２の縁部は、自由縁部である。保持フォーメーションは、第２の縁部に沿って設けられている。
【０１０３】
保持タブ１５０のそれぞれは、壁部部分２０Ｂの中のカットアウトとして形成されており、壁部部分２０Ｂに取り付けられている端部を有している。
【０１０４】
使用の前に、保持タブ１５０のそれぞれは、図１６および図１７に示されているように、壁部部分２０Ｂと整合させられた非保持位置になっている。保持タブ１５０のそれぞれは、図１８、図１９、および図２０に示されているように、壁部部分２０Ｂに取り付けられているその端部に沿って反対側の壁部部分２０Ｂに向けて曲げられることによって、保持位置へ変形可能に移動可能である。
【０１０５】
収納領域１４６がサポート部材１２に沿って延在するように、ストリップ１４が変形させられるときに、図１６に示されているように、収納領域１４６がサポート部材１２から下向きに吊り下がる傾向が存在し得る。これを防止するために、収納領域１４６は、サポート部材１２の壁部部分２０Ｂ同士の間に押される。
【０１０６】
次いで、保持タブ１５０は、それらの保持位置へ変形させられ、ストリップ１４の収納領域１４６のそれぞれの下におよびそれを横切って延在し、それによって、壁部部分２０Ｂ同士の間のそれらの収納位置に、収納領域１４６を保持する。
【０１０７】
保持タブ１５０の数は変化させられ得るということが認識されることとなる。保持タブ１５０の数は、サポート部材１２の長さに依存することが可能である。たとえば、サポート部材１２が短い状況では、サポート部材は、両方の収納領域１４６を保持するために、１つだけの保持タブ１５０を有することが可能である。
【０１０８】
さらなる修正例が、図２１から図２６に示されている。図２１から図２３に示されている修正例では、ロッキング部材１２６は、サポート部材１２の上の第２のロッキング部材１２６Ａによって交換されている。図２４から図２６に示されている修正例では、ロッキング部材１２６は、サポート部材１２の上の第３のロッキング部材１２６Ｂによって交換されている。
【０１０９】
第２のロッキング部材１２６Ａおよび第３のロッキング部材１２６Ｂのそれぞれは、ロッキング部材１２６よりも大きくなっており、それによって、より頑丈になっている。第２のロッキング部材１２６Ａおよび第３のロッキング部材１２６Ｂのそれぞれは、側壁部１５２の形態の複数の側部部材を有している。第２のロッキング部材１２６Ａおよび第３のロッキング部材１２６Ｂのそれぞれは、側壁部１５２のうちの４つを有することが可能である。
【０１１０】
また、第２のロッキング部材１２６Ａおよび第３のロッキング部材１２６Ｂのそれぞれは、リブ１５５を有する横断方向の部分１５４を有している。横断方向の部分１５４は、壁部１５２同士の間に延在している。横断方向の部分１５４は、実質的に平坦になっており、パッキング／送達荷重、または、落とされることによって引き起こされる荷重などのような、外部荷重Ｘの下でロッキング部材１２６が変形することを防止することを助ける。
【０１１１】
第２および第３のロッキング部材１２６Ａ、１２６Ｂの２つの両側の側壁部１５２は、凹んだ中間部分１５６をそれぞれ有している。
【０１１２】
すべてのロッキング部材１２６、１２６Ａ、１２６Ｂは、両側の凹んだ中間部分１５６の間に延在する１対の対向する挿入部材１５８を有している。それぞれのディテント部材１６０が、凹んだ部分１５６のそれぞれから延在している。ロッキング部材１２６、１２６Ａ、１２６Ｂがサポート部材１２の上に装着されているときには、挿入部材１５８は、サポート１２の端部領域２２におけるアパーチャー１２７のうちの１つの中に受け入れられている。挿入部材１５８は、ロッキング部材１２６、１２６Ａ、または１２６Ｂをアパーチャー１２７の上に位置付けし、ディテント部材１６０が、アパーチャー１２７の両側の縁部の上に引っ掛かる。したがって、ディテント部材１６０は、ロッキング部材１２６、１２６Ａまたは１２６Ｂをサポート１２に固定する。
【０１１３】
サポート１２の細長い中央部分２０Ａのそれぞれの端部２２は、ノッチ１６２を画定しており、ノッチ１６２は、それぞれの取り付け部分４２の中のアパーチャー４４と直接的に整合させられている。したがって、細長い中央部分は、テンプレートを提供し、ストリップ１４を天井に取り付けるスクリューのための、天井の上の位置をマークするために、据え付け者がサポート１２を使用することを可能にする。据え付け者は、サポート１２の中央部分２０Ａを天井に接触して配置させ、ノッチのそれぞれにおいて、ペンによって天井をマークする。これは、ドリル孔部のためのセンターマークを提供し、中央部分２０Ａの中の開口部２４を通して受け入れられるべき正しい位置にストリップ１４が存在するようになっている。
【図１】
2020514630.tif 000003
【図２】
2020514630.tif 000004
【図３】
2020514630.tif 000005
【図４】
2020514630.tif 000006
【図５】
2020514630.tif 000007
【図６】
2020514630.tif 000008
【図７】
2020514630.tif 000009
【図８】
2020514630.tif 000010
【図９】
2020514630.tif 000011
【図１０】
2020514630.tif 000012
【図１１】
2020514630.tif 000013
【図１２】
2020514630.tif 000014
【図１３】
2020514630.tif 000015
【図１４】
2020514630.tif 000016
【図１５】
2020514630.tif 000017
【図１６】
2020514630.tif 000018
【図１７】
2020514630.tif 000019
【図１８】
2020514630.tif 000020
【図１９】
2020514630.tif 000021
【図２０】
2020514630.tif 000022
【図２１】
2020514630.tif 000023
【図２２】
2020514630.tif 000024
【図２３】
2020514630.tif 000025
【図２４】
2020514630.tif 000026
【図２５】
2020514630.tif 000027
【図２６】
2020514630.tif 000028
【国際調査報告】
2020514630.tif 000029
2020514630.tif 000030